(57)【要約】無線通信システムにおける端末がアクセス禁止チェック（ａｃｃｅｓｓ  ｂａｒｒｉｎｇ  ｃｈｅｃｋ）を実行する方法及びこれをサポートする装置が提供される。前記方法は、禁止情報（ｂａｒｒｉｎｇ  ｉｎｆｏｒｍａｔｉｏｎ）のリストを受信し、前記それぞれの禁止情報は、禁止ファクタ（ｂａｒｒｉｎｇ  ｆａｃｔｏｒ）及び禁止時間（ｂａｒｒｉｎｇ  ｔｉｍｅ）を含むステップと、前記リストに含まれている禁止情報と関連したアクセスカテゴリ（ａｃｃｅｓｓ  ｃａｔｅｇｏｒｙ）に対する情報を受信するステップと、前記アクセスカテゴリと関連した前記禁止情報に基づいて、前記アクセスカテゴリに対する前記アクセス禁止チェックを実行するステップと、前記アクセスカテゴリに対してアクセス試み（ａｃｃｅｓｓ  ａｔｔｅｍｐｔ）が許容される場合、アップリンク送信を実行するステップとを含むことができる。【選択図】図１５
2020524918.tif 000002
【特許請求の範囲】
【請求項１】
無線通信システムにおける端末がアクセス禁止チェック（ａｃｃｅｓｓ  ｂａｒｒｉｎｇ  ｃｈｅｃｋ）を実行する方法において、
禁止情報（ｂａｒｒｉｎｇ  ｉｎｆｏｒｍａｔｉｏｎ）のリストを受信し、前記それぞれの禁止情報は、禁止ファクタ（ｂａｒｒｉｎｇ  ｆａｃｔｏｒ）及び禁止時間（ｂａｒｒｉｎｇ  ｔｉｍｅ）を含むステップと、
前記リストに含まれている禁止情報と関連したアクセスカテゴリ（ａｃｃｅｓｓ  ｃａｔｅｇｏｒｙ）に対する情報を受信するステップと、
前記アクセスカテゴリと関連した前記禁止情報に基づいて、前記アクセスカテゴリに対する前記アクセス禁止チェックを実行するステップと、
前記アクセスカテゴリに対してアクセス試み（ａｃｃｅｓｓ  ａｔｔｅｍｐｔ）が許容される場合、アップリンク送信を実行するステップとを含むことを特徴とする方法。
【請求項２】
前記禁止情報のリストは、ネットワークから受信されることを特徴とする請求項１に記載の方法。
【請求項３】
前記禁止情報のリストは、システム情報を介して受信されることを特徴とする請求項２に記載の方法。
【請求項４】
前記リストに含まれている前記それぞれの禁止情報は、一つ以上のアクセスカテゴリと関連していることを特徴とする請求項１に記載の方法。
【請求項５】
前記アクセスカテゴリが前記一つ以上のアクセスカテゴリに含まれる場合、前記アクセスカテゴリに対する前記アクセス禁止チェックは、前記アクセスカテゴリと関連した前記禁止情報に基づいて実行されることを特徴とする請求項４に記載の方法。
【請求項６】
前記アクセスカテゴリは、前記端末のＮＡＳ階層（ｎｏｎ−ａｃｃｅｓｓ  ｓｔｒａｔｕｍ  ｌａｙｅｒ）から前記端末のＲＲＣ階層（ｒａｄｉｏ  ｒｅｓｏｕｒｃｅ  ｃｏｎｔｒｏｌ  ｌａｙｅｒ）に送信されることを特徴とする請求項１に記載の方法。
【請求項７】
前記アクセスカテゴリが前記端末のＮＡＳ階層から前記端末のＲＲＣ階層に送信される場合、前記アクセスカテゴリに対する前記アクセス禁止チェックは、前記アクセスカテゴリと関連した前記禁止情報に基づいて実行されることを特徴とする請求項６に記載の方法。
【請求項８】
前記禁止情報と関連した前記アクセスカテゴリに対する情報は、ネットワークから受信されることを特徴とする請求項１に記載の方法。
【請求項９】
前記アクセス試みが前記アクセスカテゴリに対して禁止される場合、前記アクセスカテゴリに対するタイマを開始するステップとをさらに含むことを特徴とする請求項１に記載の方法。
【請求項１０】
前記アップリンク送信は、ＲＲＣ接続要求メッセージの送信を含むことを特徴とする請求項１に記載の方法。
【請求項１１】
無線通信システムにおけるアクセス禁止チェック（ａｃｃｅｓｓ  ｂａｒｒｉｎｇ  ｃｈｅｃｋ）を実行する端末において、前記端末は、
メモリと、送受信機と、
前記メモリ及び前記送受信機と連結されたプロセッサとを含み、前記プロセッサは、
前記送受信機が禁止情報（ｂａｒｒｉｎｇ  ｉｎｆｏｒｍａｔｉｏｎ）のリストを受信するように制御し、前記それぞれの禁止情報は、禁止ファクタ（ｂａｒｒｉｎｇ  ｆａｃｔｏｒ）及び禁止時間（ｂａｒｒｉｎｇ  ｔｉｍｅ）を含み、
前記送受信機が前記リストに含まれている禁止情報と関連したアクセスカテゴリ（ａｃｃｅｓｓ  ｃａｔｅｇｏｒｙ）に対する情報を受信するように制御し、
前記アクセスカテゴリと関連した前記禁止情報に基づいて、前記アクセスカテゴリに対する前記アクセス禁止チェックを実行し、
前記アクセスカテゴリに対してアクセス試み（ａｃｃｅｓｓ  ａｔｔｅｍｐｔ）が許容される場合、アップリンク送信を実行することを特徴とする端末。
【請求項１２】
前記禁止情報のリストは、ネットワークから受信されることを特徴とする請求項１１に記載の端末。
【請求項１３】
前記禁止情報のリストは、システム情報を介して受信されることを特徴とする請求項１２に記載の端末。
【請求項１４】
前記リストに含まれている前記それぞれの禁止情報は、一つ以上のアクセスカテゴリと関連していることを特徴とする請求項１１に記載の端末。
【請求項１５】
前記アクセスカテゴリが前記一つ以上のアクセスカテゴリに含まれる場合、前記アクセスカテゴリに対する前記アクセス禁止チェックは、前記アクセスカテゴリと関連した前記禁止情報に基づいて実行されることを特徴とする請求項１４に記載の端末。
【発明の詳細な説明】
【技術分野】
【０００１】
本発明は、無線通信システムに関し、より具体的には、端末がアクセス禁止チェックを実行する方法及びこれをサポートする装置に関する。
【背景技術】
【０００２】
４Ｇ（４ｔｈ−Ｇｅｎｅｒａｔｉｏｎ）通信システム商用化以後、増加する無線データトラフィック需要を満たすために、改善された５Ｇ（５ｔｈ−Ｇｅｎｅｒａｔｉｏｎ）通信システムまたはｐｒｅ−５Ｇ通信システムを開発するための努力が行われている。このような理由で、５Ｇ通信システムまたはｐｒｅ−５Ｇ通信システムは、４Ｇネットワーク以後（ｂｅｙｏｎｄ  ４Ｇ  ｎｅｔｗｏｒｋ）通信システムまたはＬＴＥ（ｌｏｎｇ  ｔｅｒｍ  ｅｖｏｌｕｔｉｏｎ）システム以後（ｐｏｓｔ  ＬＴＥ）以後のシステムと呼ばれている。
【発明の概要】
【発明が解決しようとする課題】
【０００３】
一方、アクセスカテゴリは、サービス類型属性を含むため、特定サービスに属するアクセスは、他のアクセスより優先順位が高いもので処理されなければならない。例えば、応急サービスに対するアクセスは、一般サービスの優先順位より高い、または正常なサービスに対するアクセスは、ＩＯＴ（Ｉｎｔｅｒｎｅｔ  ｏｆ  Ｔｈｉｎｇｓ）データ送信のアクセスより優先順位が高い。一方、ＮＲでは６４個のアクセスカテゴリが定義され、アクセス禁止チェック（ａｃｃｅｓｓ  ｂａｒｒｉｎｇ  ｃｈｅｃｋ）は、６３個のアクセスカテゴリに適用されることができる。アクセス禁止パラメータがそれぞれのアクセスカテゴリに対して定義されると、アクセス禁止パラメータの送信のためのネットワークのシグナリングが増加できる。したがって、アクセス禁止情報集合に基づくアクセス禁止チェックメカニズムが提案される必要がある。
【課題を解決するための手段】
【０００４】
一実施例において、無線通信システムにおける端末がアクセス禁止チェック（ａｃｃｅｓｓ  ｂａｒｒｉｎｇ  ｃｈｅｃｋ）を実行する方法が提供される。前記方法は、禁止情報（ｂａｒｒｉｎｇ  ｉｎｆｏｒｍａｔｉｏｎ）のリストを受信し、前記それぞれの禁止情報は禁止ファクタ（ｂａｒｒｉｎｇ  ｆａｃｔｏｒ）及び禁止時間（ｂａｒｒｉｎｇ  ｔｉｍｅ）を含むステップと、前記リストに含まれている禁止情報と関連したアクセスカテゴリ（ａｃｃｅｓｓ  ｃａｔｅｇｏｒｙ）に対する情報を受信するステップと、前記アクセスカテゴリと関連した前記禁止情報に基づいて、前記アクセスカテゴリに対する前記アクセス禁止チェックを実行するステップと、前記アクセスカテゴリに対してアクセス試み（ａｃｃｅｓｓ  ａｔｔｅｍｐｔ）が許容される場合、アップリンク送信を実行するステップとを含む。
【０００５】
他の実施例において、無線通信システムにおけるアクセス禁止チェック（ａｃｃｅｓｓ  ｂａｒｒｉｎｇ  ｃｈｅｃｋ）を実行する端末が提供される。前記端末は、メモリと、送受信機と、前記メモリ及び前記送受信機と連結されたプロセッサとを含み、前記プロセッサは、前記送受信機が禁止情報（ｂａｒｒｉｎｇ  ｉｎｆｏｒｍａｔｉｏｎ）のリストを受信するように制御し、前記それぞれの禁止情報は、禁止ファクタ（ｂａｒｒｉｎｇ  ｆａｃｔｏｒ）及び禁止時間（ｂａｒｒｉｎｇ  ｔｉｍｅ）を含み、前記送受信機が前記リストに含まれている禁止情報と関連したアクセスカテゴリ（ａｃｃｅｓｓ  ｃａｔｅｇｏｒｙ）に対する情報を受信するように制御し、前記アクセスカテゴリと関連した前記禁止情報に基づいて、前記アクセスカテゴリに対する前記アクセス禁止チェックを実行し、前記アクセスカテゴリに対してアクセス試み（ａｃｃｅｓｓ  ａｔｔｅｍｐｔ）が許容される場合、アップリンク送信を実行する。
【発明の効果】
【０００６】
禁止情報の送信のためのネットワークのシグナリングが減少されることができる。
【図面の簡単な説明】
【０００７】
【図１】ＬＴＥシステム構造を示す。
【図２】制御平面に対するＬＴＥシステムの無線インターフェースプロトコルを示す。
【図３】ユーザ平面に対するＬＴＥシステムの無線インターフェースプロトコルを示す。
【図４】５Ｇシステムアーキテクチャを示す。
【図５】ＮＧ−ＲＡＮと５ＧＣとの間の機能的分離を示す。
【図６】アクセス禁止チェックの例を示す。
【図７】データ通信のためのアプリケーション特定混雑制御（ＡＣＤＣ）に対するアクセス禁止チェックの例を示す。
【図８】本発明の一実施例に係る、アクセスカテゴリにマッピングされたアクセス禁止情報によるアクセス制御手順を示す。
【図９】本発明の一実施例に係る、少なくとも一つのアクセスカテゴリと禁止情報との間のマッピング関係の例を示す。
【図１０】本発明の一実施例に係る、アクセスカテゴリにマッピングされたアクセス禁止情報に基づくアクセス制御手順を示す。
【図１１】本発明の一実施例に係る、ネットワークスライスグループの例を示す。
【図１２】本発明の一実施例に係る、アクセス禁止構成に基づくスライスグループの例を示す。
【図１３】本発明の一実施例に係る、共通アクセス禁止構成の例を示す。
【図１４】本発明の一実施例に係る、ネットワークスライスグループに基づくアクセス禁止メカニズムを示す。
【図１５】本発明の一実施例に係る、ＵＥがアクセス禁止チェックを実行する方法を示すブロック図である。
【図１６】本発明の実施例が具現される無線通信システムのブロック図である。
【発明を実施するための形態】
【０００８】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような多様な無線通信システムに使われることができる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）やＣＤＭＡ２０００のような無線技術（ｒａｄｉｏ  ｔｅｃｈｎｏｌｏｇｙ）で具現されることができる。ＴＤＭＡは、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ  ｅｖｏｌｕｔｉｏｎ）のような無線技術で具現されることができる。ＯＦＤＭＡは、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ）８０２．１１（Ｗｉ−Ｆｉ）、ＩＥＥＥ８０２．１６（ＷｉＭＡＸ）、ＩＥＥＥ８０２−２０、Ｅ−ＵＴＲＡ（ｅｖｏｌｖｅｄ  ＵＴＲＡ）などのような無線技術で具現されることができる。ＩＥＥＥ８０２．１６ｍは、ＩＥＥＥ８０２．１６ｅの進化であり、ＩＥＥＥ８０２．１６ｅに基づくシステムとの後方互換性（ｂａｃｋｗａｒｄ  ｃｏｍｐａｔｉｂｉｌｉｔｙ）を提供する。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）は、Ｅ−ＵＴＲＡ（ｅｖｏｌｖｅｄ−ＵＭＴＳ  ｔｅｒｒｅｓｔｒｉａｌ  ｒａｄｉｏ  ａｃｃｅｓｓ）を使用するＥ−ＵＭＴＳ（ｅｖｏｌｖｅｄ  ＵＭＴＳ）の一部であり、ダウンリンクでＯＦＤＭＡを採用し、アップリンクでＳＣ−ＦＤＭＡを採用する。ＬＴＥ−Ａ（ａｄｖａｎｃｅｄ）は、３ＧＰＰ  ＬＴＥの進化である。 ５Ｇ通信システムは、 ＬＴＥ−Ａの進化である。
【０００９】
説明を明確にするために、ＬＴＥ−Ａ/５Ｇを中心に記述するが、本発明の技術的思想がこれに制限されるものではない。
【００１０】
図１は、ＬＴＥシステム構造を示す。通信ネットワークは、ＩＭＳ（ＩＰ  ｍｕｌｔｉｍｅｄｉａ  ｓｕｂｓｙｓｔｅｍ）を介したＶｏＩＰ（ｖｏｉｃｅ  ｏｖｅｒ  ＩＰ）及びパケットデータのような多様な通信サービスを提供するために広範囲に配置される。
【００１１】
図１を参照すると、ＬＴＥシステム構造は、Ｅ−ＵＴＲＡＮ（ｅｖｏｌｖｅｄ  ＵＭＴＳ  ｔｅｒｒｅｓｔｒｉａｌ  ｒａｄｉｏ  ａｃｃｅｓｓ  ｎｅｔｗｏｒｋ）、ＥＰＣ（ｅｖｏｌｖｅｄ  ｐａｃｋｅｔ  ｃｏｒｅ）及び一つ以上の端末（ＵＥ；ｕｓｅｒ  ｅｑｕｉｐｍｅｎｔ）１０を含む。ＵＥ１０は、ユーザにより運搬される通信装置を示す。ＵＥ１０は、固定されてもよいし、移動性を有してもよく、ＭＳ（ｍｏｂｉｌｅ  ｓｔａｔｉｏｎ）、ＵＴ（ｕｓｅｒ  ｔｅｒｍｉｎａｌ）、ＳＳ（ｓｕｂｓｃｒｉｂｅｒ  ｓｔａｔｉｏｎ）または無線装置（ｗｉｒｅｌｅｓｓ  ｄｅｖｉｃｅ）などと呼ばれることもある。
【００１２】
Ｅ−ＵＴＲＡＮは、一つ以上のｅＮＢ（ｅｖｏｌｖｅｄ  ｎｏｄｅ−Ｂ）２０を含むことができ、一つのセルに複数の端末が存在できる。ｅＮＢ２０は、制御平面（ｃｏｎｔｒｏｌ  ｐｌａｎｅ）とユーザ平面（ｕｓｅｒ  ｐｌａｎｅ）の終端点を端末に提供する。ｅＮＢ２０は、一般的に端末１０と通信する固定局（ｆｉｘｅｄ  ｓｔａｔｉｏｎ）を意味し、ＢＳ（ｂａｓｅ  ｓｔａｔｉｏｎ）、ＢＴＳ（ｂａｓｅ  ｔｒａｎｓｃｅｉｖｅｒ  ｓｙｓｔｅｍ）、アクセスポイント（ａｃｃｅｓｓ  ｐｏｉｎｔ）等、他の用語で呼ばれることもある。一つのｅＮＢ２０は、セル毎に配置されることができる。ｅＮＢ２０のカバレッジ内に一つ以上のセルが存在できる。一つのセルは、１．２５、２．５、５、１０及び２０ＭＨｚなどの帯域幅のうち一つを有するように設定され、複数の端末にダウンリンク（ＤＬ；ｄｏｗｎｌｉｎｋ）またはアップリンク（ＵＬ；ｕｐｌｉｎｋ）送信サービスを提供することができる。このとき、互いに異なるセルは、互いに異なる帯域幅を提供するように設定されることができる。
【００１３】
以下、ダウンリンク（ＤＬ；ｄｏｗｎｌｉｎｋ）は、ｅＮＢ２０からＵＥ１０への通信を示し、アップリンク（ＵＬ；ｕｐｌｉｎｋ）は、ＵＥ１０からｅＮＢ２０への通信を示す。ＤＬにおいて、送信機はｅＮＢ２０の一部であり、受信機はＵＥ１０の一部である。ＵＬにおいて、送信機はＵＥ１０の一部であり、受信機はｅＮＢ２０の一部である。
【００１４】
ＥＰＣは、制御平面の機能を担当するＭＭＥ（ｍｏｂｉｌｉｔｙ  ｍａｎａｇｅｍｅｎｔ  ｅｎｔｉｔｙ）、ユーザ平面の機能を担当するＳ−ＧＷ（ｓｙｓｔｅｍ  ａｒｃｈｉｔｅｃｔｕｒｅ  ｅｖｏｌｕｔｉｏｎ（ＳＡＥ）ｇａｔｅｗａｙ）を含むことができる。ＭＭＥ／Ｓ−ＧＷ３０は、ネットワークの端に位置でき、外部ネットワークと連結される。ＭＭＥは、端末の接続情報や端末の能力に対する情報を有し、このような情報は、主に端末の移動性管理に使われることができる。Ｓ−ＧＷは、Ｅ−ＵＴＲＡＮを終端点として有するゲートウェイである。ＭＭＥ／Ｓ−ＧＷ３０は、セッションの終端点と移動性管理機能を端末１０に提供する。ＥＰＣは、ＰＤＮ（ｐａｃｋｅｔ  ｄａｔａ  ｎｅｔｗｏｒｋ）−ＧＷ（ｇａｔｅｗａｙ）をさらに含むことができる。ＰＤＮ−ＧＷは、ＰＤＮを終端点として有するゲートウェイである。
【００１５】
ＭＭＥは、ｅＮＢ２０へのＮＡＳ（ｎｏｎ−ａｃｃｅｓｓ  ｓｔｒａｔｕｍ）シグナリング、ＮＡＳシグナリングセキュリティ、ＡＳ（ａｃｃｅｓｓ  ｓｔｒａｔｕｍ）セキュリティ制御、３ＧＰＰアクセスネットワーク間の移動性のためのｉｎｔｅｒＣＮ（ｃｏｒｅ  ｎｅｔｗｏｒｋ）ノードシグナリング、アイドルモード端末到達可能性（ページング再送信の制御及び実行を含む）、トラッキング領域リスト管理（アイドルモード及び活性化モードである端末のために）、Ｐ−ＧＷ及びＳ−ＧＷ選択、ＭＭＥ変更と共にハンドオーバのためのＭＭＥ選択、２Ｇまたは３Ｇ  ３ＧＰＰアクセスネットワークへのハンドオーバのためのＳＧＳＮ（ｓｅｒｖｉｎｇ  ＧＰＲＳ  ｓｕｐｐｏｒｔ  ｎｏｄｅ）選択、ローミング、認証、専用ベアラ設定を含むベアラ管理機能、ＰＷＳ（ｐｕｂｌｉｃ  ｗａｒｎｉｎｇ  ｓｙｓｔｅｍ：地震／津波警報システム（ＥＴＷＳ）及び常用モバイル警報システム（ＣＭＡＳ）を含む）メッセージ送信サポートなどの多様な機能を提供する。Ｓ−ＧＷホストは、ユーザ別基盤パケットフィルタリング（例えば、深層パケット検査を介して）、合法的な遮断、端末ＩＰ（ｉｎｔｅｒｎｅｔ  ｐｒｏｔｏｃｏｌ）アドレス割当、ＤＬで送信レベルパッキングマーキング、ＵＬ／ＤＬサービスレベル課金、ゲーティング及び等級強制、ＡＰＮ−ＡＭＢＲに基づくＤＬ等級強制の各種機能を提供する。明確性のためにＭＭＥ／Ｓ−ＧＷ３０は、“ゲートウェイ”と単純に表現し、これはＭＭＥ及びＳ−ＧＷを両方とも含むことができる。
【００１６】
ユーザトラフィック送信または制御トラフィック送信のためのインターフェースが使われることができる。端末１０及びｅＮＢ２０は、Ｕｕインターフェースにより連結されることができる。ｅＮＢ２０は、Ｘ２インターフェースにより相互間連結されることができる。隣接したｅＮＢ２０は、Ｘ２インターフェースによるネットワーク型ネットワーク構造を有することができる。ｅＮＢ２０は、Ｓ１インターフェースによりＥＰＣと連結されることができる。ｅＮＢ２０は、Ｓ１−ＭＭＥインターフェースによりＥＰＣと連結されることができ、Ｓ１−ＵインターフェースによりＳ−ＧＷと連結されることができる。Ｓ１インターフェースは、ｅＮＢ２０とＭＭＥ／Ｓ−ＧＷ３０との間に多対多関係（ｍａｎｙ−ｔｏ−ｍａｎｙ−ｒｅｌａｔｉｏｎ）をサポートする。
【００１７】
ｅＮＢ２０は、ゲートウェイ３０に対する選択、ＲＲＣ（ｒａｄｉｏ  ｒｅｓｏｕｒｃｅ  ｃｏｎｔｒｏｌ）活性（ａｃｔｉｖａｔｉｏｎ）の間にゲートウェイ３０へのルーティング（ｒｏｕｔｉｎｇ）、ページングメッセージのスケジューリング及び送信、ＢＣＨ（ｂｒｏａｄｃａｓｔ  ｃｈａｎｎｅｌ）情報のスケジューリング及び送信、ＵＬ及びＤＬで端末１０へのリソースの動的割当、ｅＮＢ測定の設定（ｃｏｎｆｉｇｕｒａｔｉｏｎ）及び提供（ｐｒｏｖｉｓｉｏｎｉｎｇ）、無線ベアラ制御、ＲＡＣ（ｒａｄｉｏ  ａｄｍｉｓｓｉｏｎ  ｃｏｎｔｒｏｌ）及びＬＴＥ活性状態で接続移動性制御機能を実行することができる。前記言及のように、ゲートウェイ３０は、ＥＰＣでページング開始、ＬＴＥアイドル状態管理、ユーザ平面の暗号化、ＳＡＥベアラ制御及びＮＡＳシグナリングの暗号化と無欠性保護機能を実行することができる。
【００１８】
図２は、制御平面に対するＬＴＥシステムの無線インターフェースプロトコルを示す。図３は、ユーザ平面に対するＬＴＥシステムの無線インターフェースプロトコルを示す。
【００１９】
端末とＥ−ＵＴＲＡＮとの間の無線インターフェースプロトコルの階層は、通信システムで広く知られたＯＳＩ（ｏｐｅｎ  ｓｙｓｔｅｍ  ｉｎｔｅｒｃｏｎｎｅｃｔｉｏｎ）モデルの下位３個階層に基づいてＬ１（第１の階層）、Ｌ２（第２の階層）及びＬ３（第３の階層）に区分される。端末とＥ−ＵＴＲＡＮとの間の無線インターフェースプロトコルは、水平的に物理階層、データリンク階層（ｄａｔａｌｉｎｋ  ｌａｙｅｒ）、及びネットワーク階層（ｎｅｔｗｏｒｋ  ｌａｙｅｒ）に区分されることができ、垂直的に制御信号送信のためのプロトコルスタック（ｐｒｏｔｏｃｏｌ  ｓｔａｃｋ）である制御平面（ｃｏｎｔｒｏｌ  ｐｌａｎｅ）とデータ情報送信のためのプロトコルスタックであるユーザ平面（ｕｓｅｒ  ｐｌａｎｅ）とに区分されることができる。無線インターフェースプロトコルの階層は、端末とＥ−ＵＴＲＡＮで対（ｐａｉｒ）で存在でき、これはＵｕインターフェースのデータ送信を担当することができる。
【００２０】
物理階層（ＰＨＹ；ｐｈｙｓｉｃａｌ  ｌａｙｅｒ）は、Ｌ１に属する。物理階層は、物理チャネルを介して上位階層に情報送信サービスを提供する。物理階層は、上位階層であるＭＡＣ（ｍｅｄｉａ  ａｃｃｅｓｓ  ｃｏｎｔｒｏｌ）階層とトランスポートチャネル（ｔｒａｎｓｐｏｒｔ  ｃｈａｎｎｅｌ）を介して連結される。物理チャネルは、トランスポートチャネルにマッピングされる。トランスポートチャネルを介してＭＡＣ階層と物理階層との間にデータが送信されることができる。互いに異なる物理階層間、即ち、送信機の物理階層と受信機の物理階層との間のデータは、物理チャネルを介して無線リソースを利用して送信されることができる。物理階層は、ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）方式を利用して変調されることができ、時間と周波数を無線リソースとして活用する。
【００２１】
物理階層は、いくつかの物理制御チャネル（ｐｈｙｓｉｃａｌ  ｃｏｎｔｒｏｌ  ｃｈａｎｎｅｌ）を使用する。ＰＤＣＣＨ（ｐｈｙｓｉｃａｌ  ｄｏｗｎｌｉｎｋ  ｃｏｎｔｒｏｌ  ｃｈａｎｎｅｌ）は、ＰＣＨ（ｐａｇｉｎｇ  ｃｈａｎｎｅｌ）及びＤＬ−ＳＣＨ（ｄｏｗｎｌｉｎｋ  ｓｈａｒｅｄ  ｃｈａｎｎｅｌ）のリソース割当、ＤＬ−ＳＣＨと関連するＨＡＲＱ（ｈｙｂｒｉｄ  ａｕｔｏｍａｔｉｃ  ｒｅｐｅａｔ  ｒｅｑｕｅｓｔ）情報に対して端末に報告する。ＰＤＣＣＨは、アップリンク送信のリソース割当に対して端末に報告するためにアップリンクグラントを伝送することができる。ＰＣＦＩＣＨ（ｐｈｙｓｉｃａｌ  ｃｏｎｔｒｏｌ  ｆｏｒｍａｔ  ｉｎｄｉｃａｔｏｒ  ｃｈａｎｎｅｌ）は、ＰＤＣＣＨのために使われるＯＦＤＭシンボルの個数を端末に知らせ、全てのサブフレーム毎に送信される。ＰＨＩＣＨ（ｐｈｙｓｉｃａｌ  ｈｙｂｒｉｄ  ＡＲＱ  ｉｎｄｉｃａｔｏｒ  ｃｈａｎｎｅｌ）は、ＵＬ−ＳＣＨ送信に対するＨＡＲＱ  ＡＣＫ（ａｃｋｎｏｗｌｅｄｇｅｍｅｎｔ）／ＮＡＣＫ（ｎｏｎ−ａｃｋｎｏｗｌｅｄｇｅｍｅｎｔ）信号を伝送する。ＰＵＣＣＨ（ｐｈｙｓｉｃａｌ  ｕｐｌｉｎｋ  ｃｏｎｔｒｏｌ  ｃｈａｎｎｅｌ）は、ダウンリンク送信のためのＨＡＲＱ  ＡＣＫ／ＮＡＣＫ、スケジューリング要求及びＣＱＩのようなＵＬ制御情報を伝送する。ＰＵＳＣＨ（ｐｈｙｓｉｃａｌ  ｕｐｌｉｎｋ  ｓｈａｒｅｄ  ｃｈａｎｎｅｌ）は、ＵＬ−ＳＣＨ（ｕｐｌｉｎｋ  ｓｈａｒｅｄ  ｃｈａｎｎｅｌ）を伝送する。
【００２２】
物理チャネルは、時間領域で複数のサブフレーム（ｓｕｂｆｒａｍｅ）と周波数領域で複数の副搬送波（ｓｕｂｃａｒｒｉｅｒ）で構成される。一つのサブフレームは、時間領域で複数のシンボルで構成される。一つのサブフレームは、複数のリソースブロック（ＲＢ；ｒｅｓｏｕｒｃｅ  ｂｌｏｃｋ）で構成される。一つのリソースブロックは、複数のシンボルと複数の副搬送波で構成される。また、各サブフレームは、ＰＤＣＣＨのために該当サブフレームの特定シンボルの特定副搬送波を利用することができる。例えば、サブフレームの最初のシンボルがＰＤＣＣＨのために使われることができる。ＰＤＣＣＨは、ＰＲＢ（ｐｈｙｓｉｃａｌ  ｒｅｓｏｕｒｃｅ  ｂｌｏｃｋ）及びＭＣＳ（ｍｏｄｕｌａｔｉｏｎ  ａｎｄ  ｃｏｄｉｎｇ  ｓｃｈｅｍｅｓ）のように動的に割り当てられたリソースを伝送することができる。データが送信される単位時間であるＴＴＩ（ｔｒａｎｓｍｉｓｓｉｏｎ  ｔｉｍｅ  ｉｎｔｅｒｖａｌ）は、１個のサブフレームの長さと同じである。サブフレーム一つの長さは、１ｍｓである。
【００２３】
トランスポートチャネルは、チャネルが共有されるかどうかによって共通トランスポートチャネル及び専用トランスポートチャネルに分類される。ネットワークから端末にデータを送信するＤＬトランスポートチャネル（ＤＬ  ｔｒａｎｓｐｏｒｔ  ｃｈａｎｎｅｌ）は、システム情報を送信するＢＣＨ（ｂｒｏａｄｃａｓｔ  ｃｈａｎｎｅｌ）、ページングメッセージを送信するＰＣＨ（ｐａｇｉｎｇ  ｃｈａｎｎｅｌ）、ユーザトラフィックまたは制御信号を送信するＤＬ−ＳＣＨなどを含む。ＤＬ−ＳＣＨは、ＨＡＲＱ、変調、コーディング及び送信電力の変化による動的リンク適応及び動的／半静的リソース割当をサポートする。また、ＤＬ−ＳＣＨは、セル全体にブロードキャスト及びビームフォーミングの使用を可能にすることができる。システム情報は、一つ以上のシステム情報ブロックを伝送する。全てのシステム情報ブロックは、同じ周期に送信されることができる。ＭＢＭＳ（ｍｕｌｔｉｍｅｄｉａ  ｂｒｏａｄｃａｓｔ／ｍｕｌｔｉｃａｓｔ  ｓｅｒｖｉｃｅ）のトラフィックまたは制御信号は、ＭＣＨ（ｍｕｌｔｉｃａｓｔ  ｃｈａｎｎｅｌ）を介して送信される。
【００２４】
端末からネットワークにデータを送信するＵＬトランスポートチャネルは、初期制御メッセージ（ｉｎｉｔｉａｌ  ｃｏｎｔｒｏｌ  ｍｅｓｓａｇｅ）を送信するＲＡＣＨ（ｒａｎｄｏｍ  ａｃｃｅｓｓ  ｃｈａｎｎｅｌ）、ユーザトラフィックまたは制御信号を送信するＵＬ−ＳＣＨなどを含む。ＵＬ−ＳＣＨは、ＨＡＲＱ及び送信電力及び潜在的な変調及びコーディングの変化による動的リンク適応をサポートすることができる。また、ＵＬ−ＳＣＨは、ビームフォーミングの使用を可能にすることができる。ＲＡＣＨは、一般的にセルへの初期接続に使われる。
【００２５】
Ｌ２に属するＭＡＣ階層は、論理チャネル（ｌｏｇｉｃａｌ  ｃｈａｎｎｅｌ）を介して上位階層であるＲＬＣ（ｒａｄｉｏ  ｌｉｎｋ  ｃｏｎｔｒｏｌ）階層にサービスを提供する。ＭＡＣ階層は、複数の論理チャネルから複数のトランスポートチャネルへのマッピング機能を提供する。また、ＭＡＣ階層は、複数の論理チャネルから単数のトランスポートチャネルへのマッピングによる論理チャネル多重化機能を提供する。ＭＡＣ副階層は、論理チャネル上のデータ送信サービスを提供する。
【００２６】
論理チャネルは、送信される情報の種類によって、制御平面の情報伝達のための制御チャネルとユーザ平面の情報伝達のためのトラフィックチャネルとに分けられる。即ち、論理チャネルタイプのセットは、ＭＡＣ階層により提供される他のデータ送信サービスのために定義される。論理チャネルは、トランスポートチャネルの上位に位置してトランスポートチャネルにマッピングされる。
【００２７】
制御チャネルは、制御平面の情報伝達のみのために使われる。ＭＡＣ階層により提供される制御チャネルは、ＢＣＣＨ（ｂｒｏａｄｃａｓｔ  ｃｏｎｔｒｏｌ  ｃｈａｎｎｅｌ）、ＰＣＣＨ（ｐａｇｉｎｇ  ｃｏｎｔｒｏｌ  ｃｈａｎｎｅｌ）、ＣＣＣＨ（ｃｏｍｍｏｎ  ｃｏｎｔｒｏｌ  ｃｈａｎｎｅｌ）、ＭＣＣＨ（ｍｕｌｔｉｃａｓｔ  ｃｏｎｔｒｏｌ  ｃｈａｎｎｅｌ）及びＤＣＣＨ（ｄｅｄｉｃａｔｅｄ  ｃｏｎｔｒｏｌ  ｃｈａｎｎｅｌ）を含む。ＢＣＣＨは、システム制御情報を放送するためのダウンリンクチャネルである。ＰＣＣＨは、ページング情報の送信及びセル単位の位置がネットワークに知られていない端末をページングするために使われるダウンリンクチャネルである。ＣＣＣＨは、ネットワークとＲＲＣ接続を有しないとき、端末により使われる。ＭＣＣＨは、ネットワークから端末にＭＢＭＳ制御情報を送信するのに使われる一対多のダウンリンクチャネルである。ＤＣＣＨは、ＲＲＣ接続状態で端末とネットワークとの間に専用制御情報送信のために端末により使われる一対一の双方向チャネルである。
【００２８】
トラフィックチャネルは、ユーザ平面の情報伝達のみのために使われる。ＭＡＣ階層により提供されるトラフィックチャネルは、ＤＴＣＨ（ｄｅｄｉｃａｔｅｄ  ｔｒａｆｆｉｃ  ｃｈａｎｎｅｌ）及びＭＴＣＨ（ｍｕｌｔｉｃａｓｔ  ｔｒａｆｆｉｃ  ｃｈａｎｎｅｌ）を含む。ＤＴＣＨは、一対一のチャネルで一つの端末のユーザ情報の送信のために使われ、アップリンク及びダウンリンクの両方ともに存在できる。ＭＴＣＨは、ネットワークから端末にトラフィックデータを送信するための一対多のダウンリンクチャネルである。
【００２９】
論理チャネルとトランスポートチャネルとの間のアップリンク連結は、ＵＬ−ＳＣＨにマッピングされることができるＤＣＣＨ、ＵＬ−ＳＣＨにマッピングされることができるＤＴＣＨ、及びＵＬ−ＳＣＨにマッピングされることができるＣＣＣＨを含む。論理チャネルとトランスポートチャネルとの間のダウンリンク連結は、ＢＣＨまたはＤＬ−ＳＣＨにマッピングされることができるＢＣＣＨ、ＰＣＨにマッピングされることができるＰＣＣＨ、ＤＬ−ＳＣＨにマッピングされることができるＤＣＣＨ、ＤＬ−ＳＣＨにマッピングされることができるＤＴＣＨ、ＭＣＨにマッピングされることができるＭＣＣＨ、及びＭＣＨにマッピングされることができるＭＴＣＨを含む。
【００３０】
ＲＬＣ階層は、Ｌ２に属する。ＲＬＣ階層の機能は、下位階層がデータの送信に適するように無線セクションで上位階層から受信されたデータの分割／連接によるデータの大きさ調整を含む。無線ベアラ（ＲＢ；ｒａｄｉｏ  ｂｅａｒｅｒ）が要求する多様なＱｏＳを保障するために、ＲＬＣ階層は、透明モード（ＴＭ；ｔｒａｎｓｐａｒｅｎｔ  ｍｏｄｅ）、非確認モード（ＵＭ；ｕｎａｃｋｎｏｗｌｅｄｇｅｄ  ｍｏｄｅ）、及び確認モード（ＡＭ；ａｃｋｎｏｗｌｅｄｇｅｄ  ｍｏｄｅ）の三つの動作モードを提供する。ＡＭ  ＲＬＣは、信頼性のあるデータ送信のためにＡＲＱ（ａｕｔｏｍａｔｉｃ  ｒｅｐｅａｔ  ｒｅｑｕｅｓｔ）を介して再送信機能を提供する。一方、ＲＬＣ階層の機能は、ＭＡＣ階層内部の機能ブロックで具現されることができ、このとき、ＲＬＣ階層は、存在しないこともある。
【００３１】
ＰＤＣＰ（ｐａｃｋｅｔ  ｄａｔａ  ｃｏｎｖｅｒｇｅｎｃｅ  ｐｒｏｔｏｃｏｌ）階層は、Ｌ２に属する。ＰＤＣＰ階層は、相対的に帯域幅が小さい無線インターフェース上でＩＰｖ４またはＩＰｖ６のようなＩＰパケットを導入して送信されるデータが効率的に送信されるように不要な制御情報を減らすヘッダ圧縮機能を提供する。ヘッダ圧縮は、データのヘッダに必要な情報のみを送信することによって無線セクションで送信効率を上げる。さらに、ＰＤＣＰ階層は、セキュリティ機能を提供する。セキュリティ機能は、第３者の検査を防止する暗号化及び第３者のデータ操作を防止する無欠性保護を含む。
【００３２】
ＲＲＣ（ｒａｄｉｏ  ｒｅｓｏｕｒｃｅ  ｃｏｎｔｒｏｌ）階層は、Ｌ３に属する。Ｌ３の最も下段部分に位置するＲＲＣ階層は、制御平面でのみ定義される。ＲＲＣ階層は、端末とネットワークとの間の無線リソースを制御する役割を実行する。そのために、端末とネットワークは、ＲＲＣ階層を介してＲＲＣメッセージを交換する。ＲＲＣ階層は、ＲＢの構成（ｃｏｎｆｉｇｕｒａｔｉｏｎ）、再構成（ｒｅ−ｃｏｎｆｉｇｕｒａｔｉｏｎ）、及び解除（ｒｅｌｅａｓｅ）と関連して論理チャネル、トランスポートチャネル、及び物理チャネルの制御を担当する。ＲＢは、端末とネットワークとの間のデータ伝達のために、Ｌ１及びＬ２により提供される論理的経路である。即ち、ＲＢは、端末とＥ−ＵＴＲＡＮとの間のデータ送信のために、Ｌ２により提供されるサービスを意味する。ＲＢが設定されるということは、特定サービスを提供するために無線プロトコル階層及びチャネルの特性を規定し、各々の具体的なパラメータ及び動作方法を決定することを意味する。ＲＢは、ＳＲＢ（ｓｉｇｎａｌｉｎｇ  ＲＢ）とＤＲＢ（ｄａｔａ  ＲＢ）の二つに区分されることができる。ＳＲＢは、制御平面でＲＲＣメッセージを送信する通路として使われ、ＤＲＢは、ユーザ平面でユーザデータを送信する通路として使われる。
【００３３】
図２を参照すると、ＲＬＣ及びＭＡＣ階層（ネットワーク側でｅＮＢで終了）は、スケジューリング、ＡＲＱ及びＨＡＲＱのような機能を実行することができる。ＲＲＣ階層（ネットワーク側でｅＮＢで終了）は、放送、ページング、ＲＲＣ接続管理、ＲＢ制御、移動性機能及び端末測定報告／制御のような機能を実行することができる。ＮＡＳ制御プロトコル（ネットワーク側でゲートウェイのＭＭＥで終了）は、ＳＡＥベアラ管理、認証、ＬＴＥ＿ＩＤＬＥ移動性ハンドリング、ＬＴＥ＿ＩＤＬＥでページング開始及び端末とゲートウェイとの間のシグナリングのためのセキュリティ制御のような機能を実行することができる。
【００３４】
図３を参照すると、ＲＬＣ及びＭＡＣ階層（ネットワーク側でｅＮＢで終了）は、制御平面での機能と同じ機能を実行することができる。ＰＤＣＰ階層（ネットワーク側でｅＮＢで終了）は、ヘッダ圧縮、無欠性保護及び暗号化のようなユーザ平面機能を実行することができる。
【００３５】
図４は、５Ｇシステムアーキテクチャを示す。
【００３６】
図４を参照すると、次世代無線アクセスネットワーク（ＮＧ−ＲＡＮ）ノードは、ＵＥに対してＮＲ無線アクセス（ＮＲ）ユーザ平面及び制御平面プロトコル終端を提供するｇＮＢであり、またはＵＥに対して進化したユニバーザル地上無線接続（Ｅ−ＵＴＲＡ）ユーザ平面及び制御平面プロトコル終端を提供するｎｇ−ｅＮＢである。ｇＮＢ及びｎｇ−ｅＮＢは、Ｘｎインターフェースを介して互いに相互接続されることができる。また、ｇＮＢ及びｎｇ−ｅＮＢは、ＮＧインターフェースを介して５Ｇコアネットワーク（５ＧＣ）に接続されることができ、より具体的には、ＮＧ−Ｃインターフェースを介してＡＭＦ（アクセス及び移動性管理機能）に接続されることができ、ＮＧ−Ｕインターフェースを介してＵＰＦ（ユーザ平面機能）に接続されることができる。ＮＧ−Ｃは、ＮＧ−ＲＡＮと５ＧＣとの間の制御平面インターフェースであり、ＮＧ−Ｕは、ＮＧ−ＲＡＮと５ＧＣとの間のユーザ平面インターフェースである。
【００３７】
図５は、ＮＧ−ＲＡＮと５ＧＣとの間の機能的分離を示す。
【００３８】
図５を参照すると、ｇＮＢ及びｎｇ−ｅＮＢは、下記の機能をホストすることができる。
【００３９】
−無線リソース管理のための機能：無線ベアラ制御、無線許可制御、接続移動性制御、アップリンク及びダウンリンク（スケジューリング）の全てでＵＥに対するリソースの動的割当；
【００４０】
−データのＩＰヘッダ圧縮、暗号化及び無欠性保護；
【００４１】
−ＡＭＦへのルーティングがＵＥにより提供された情報から決定されることができない場合、ＵＥアタッチ（ａｔｔａｃｈ）の時、ＡＭＦの選択；
【００４２】
−ユーザ平面データをＵＰＦ（ら）でルーティング；
【００４３】
−ＡＭＦに向かう制御平面情報のルーティング；
【００４４】
−接続設定及び解除；
【００４５】
−ページングメッセージのスケジューリング及び送信；
【００４６】
−（ＡＭＦまたはＯ＆Ｍから発生する）システム放送情報のスケジューリング及び送信；
【００４７】
−移動性及びスケジューリングのための測定及び測定報告構成；
【００４８】
−アップリンクでの送信レベルパケットマーキング；
【００４９】
−セッション管理；
【００５０】
−ネットワークスライシングのサポート；
【００５１】
−ＱｏＳフロー管理及びデータ無線ベアラへのマッピング；
【００５２】
−ＲＲＣ＿ＩＮＡＣＴＩＶＥ状態にあるＵＥのサポート；
【００５３】
−ＮＡＳメッセージの分配機能；
【００５４】
−無線アクセスネットワーク共有；
【００５５】
−二重接続性；
【００５６】
−ＮＲとＥ−ＵＴＲＡとの間の緊密な連動（ｉｎｔｅｒｗｏｒｋｉｎｇ）。
【００５７】
ＡＭＦ（Ａｃｃｅｓｓ  ａｎｄ  Ｍｏｂｉｌｉｔｙ  Ｍａｎａｇｅｍｅｎｔ  Ｆｕｎｃｔｉｏｎ）は、下記の主要機能をホストすることができる。
【００５８】
−ＮＡＳシグナリング終端
【００５９】
−ＮＡＳシグナリングセキュリティ；
【００６０】
−ＡＳセキュリティ制御；
【００６１】
−３ＧＰＰアクセスネットワーク間の移動性のためのインターＣＮノードシグナリング；
【００６２】
−アイドル（ｉｄｌｅ）モードＵＥ到達可能性（ページング再送信の制御及び実行を含む）；
【００６３】
−登録領域管理；
【００６４】
−イントラ−システム及びインター−システム移動性のサポート；
【００６５】
−アクセス認証；
【００６６】
−ローミング権限のチェックを含むアクセス認証；
【００６７】
−移動性管理制御（加入及び政策）；
【００６８】
−ネットワークスライシングのサポート；
【００６９】
−ＳＭＦ選択。
【００７０】
ＵＰＦ（Ｕｓｅｒ  Ｐｌａｎｅ  Ｆｕｎｃｔｉｏｎ）は、下記の主要機能をホストすることができる。
【００７１】
−イントラ／インター−ＲＡＴ移動性のためのアンカーポイント（適用可能な場合）；
【００７２】
−データネットワークに対する相互接続の外部ＰＤＵセッションポイント；
【００７３】
−パケットルーティング及びフォワーディング；
【００７４】
−パケット検査（ｉｎｓｐｅｃｔｉｏｎ）及び政策規則適用（ｅｎｆｏｒｃｅｍｅｎｔ）のユーザ平面部分；
【００７５】
−トラフィック使用報告；
【００７６】
−データネットワークにトラフィックフローをルーティングすることをサポートするアップリンク分類子；
【００７７】
−マルチ−ホームＰＤＵセッションをサポートする分岐ポイント（ｂｒａｎｃｈｉｎｇ  ｐｏｉｎｔ）；
【００７８】
−ユーザ平面に対するＱｏＳ取扱、例えば、パケットフィルタリング、ゲーティング、ＵＬ／ＤＬ料金執行（ｒａｔｅ  ｅｎｆｏｒｃｅｍｅｎｔ）；
【００７９】
−アップリンクトラフィック検証（ＱｏＳフローマッピングに対するＳＤＦ）；
【００８０】
−ダウンリンクパケットバッファリング及びダウンリンクデータ通知トリガリング；
【００８１】
セッション管理機能（ＳＭＦ）は、下記の主要機能をホストすることができる。
【００８２】
−セッション管理；
【００８３】
−ＵＥ  ＩＰアドレス割当及び管理；
【００８４】
−ＵＰ機能の選択及び制御；
【００８５】
−トラフィックを適切な目的地（ｄｅｓｔｉｎａｔｉｏｎ）へルーティングするためにＵＰＦでトラフィック調整（ｓｔｅｅｒｉｎｇ）を構成する；
【００８６】
−政策執行及びＱｏＳの制御部分；
【００８７】
−ダウンリンクデータ通知。
【００８８】
図６は、アクセス禁止チェック（ａｃｃｅｓｓ  ｂａｒｒｉｎｇ  ｃｈｅｃｋ）の例を示す。
【００８９】
図６を参照すると、ネットワークまたは基地局の過負荷（ｏｖｅｒｌｏａｄ）または混雑状態で、基地局は、システム情報を介してＡＣＢ（Ａｃｃｅｓｓ  Ｃｌａｓｓ  Ｂａｒｒｉｎｇ）−関連情報を放送することができる。システム情報は、システム情報ブロック（ＳＩＢ）タイプ２である。
【００９０】
ＳＩＢ類型１は、以下の表のようなＡＣＢ−関連情報を含むことができる。
【００９１】
【表１】
2020524918.tif 000003
【００９２】
一方、ＵＥ１は、ＩＭＳサービス、例えば、ＶｏＬＴＥによる呼び（ｃａｌｌ）のモバイル発生（ｍｏｂｉｌｅ  ｏｒｉｅｎｔｉｎｇ）を決定してサービス要求メッセージを生成することができる。同様に、ＵＥ２は、一般データのモバイル発生を決定してサービス要求メッセージを生成することができる。
【００９３】
次に、ＵＥ１は、ＲＲＣ接続要求メッセージを生成することができる。同様に、ＵＥ２は、ＲＲＣ接続要求メッセージを生成することができる。
【００９４】
一方、ＵＥ１は、アクセス禁止チェック（即ち、ＡＣＢが適用されるかどうか）を実行することができる。同様に、ＵＥ２は、アクセス禁止チェック（即ち、ＡＣＢが適用されるかどうか）を実行することができる。
【００９５】
ＡＣＢが適用されない場合、ＵＥ１とＵＥ２は、ＲＲＣ接続要求メッセージを各々送信することができる。しかし、ＡＣＢが適用される場合、ＵＥ１及びＵＥ２の両方とも、ＲＲＣ接続要求メッセージを各々送信しない。
【００９６】
アクセス禁止チェックは、次のように詳細に説明される。一般的に、１０個のアクセス等級（例えば、ＡＣ０、ＡＣ１、...及びＡＣ９）のうち少なくとも一つがＵＥにランダムに割り当てられることができる。例外的に、応急な応急アクセスの場合、ＡＣ１０が割り当てられる。このように、ランダムに割当されたアクセス等級の値は、ＵＥ１及びＵＥ２のそれぞれのＵＳＩＭに格納されることができる。以後、ＵＥ１とＵＥ２は、格納されたアクセス等級に基づいて、受信されたＡＣＢ−関連情報に含まれている禁止ファクタを利用してアクセス等級が適用されたかどうかを検証することができる。アクセス禁止チェックは、各アクセス階層（ＡＳ：Ａｃｃｅｓｓ  Ｓｔｒａｔｕｍ）階層、即ち、ＵＥ１とＵＥ２のＲＲＣ階層（ｒａｄｉｏ  ｒｅｓｏｕｒｃｅ  ｃｏｎｔｒｏｌ  ｌａｙｅｒ）で実行されることができる。
【００９７】
アクセス禁止チェックは、下記のように詳細に説明される。
【００９８】
ａｃ−ＢａｒｒｉｎｇＰｅｒＰＬＭＮ−Ｌｉｓｔは、ＵＥ１及びＵＥ２の各々が受信したＳＩＢ類型２に含まれることができ、上位階層で選択されたＰＬＭＮに対応するｐｌｍｎ−ｉｄｅｎｔｉｔｙＩｎｄｅｘとマッチングされるＡＣ−ＢａｒｒｉｎｇＰｅｒＰＬＭＮエントリがａｃ−ＢａｒｒｉｎｇＰｅｒＰＬＭＮ−Ｌｉｓｔに含まれると、上位階層により選択されたＰＬＭＮに対応するｐｌｍｎ−ｉｄｅｎｔｉｔｙＩｎｄｅｘとマッチングされるＡＣ−ＢａｒｒｉｎｇＰｅｒＰＬＭＮエントリが選択される。
【００９９】
次に、ＵＥ１及びＵＥ２がＲＲＣ接続要求を実行する場合、Ｔ３０３をＴｂａｒｒｉｎｇとして使用し、ａｃ−ＢａｒｒｉｎｇＦｏｒＭＯ−Ｄａｔａを禁止パラメータとして使用することで、アクセス禁止チェックを実行することができる。
【０１００】
禁止が決定されると、ＵＥ１及びＵＥ２のそれぞれのＡＳ（ＲＲＣ）階層は、ＲＲＣ接続設定の失敗を上位階層に通知できる。
【０１０１】
次に、このように、アクセスが禁止される場合、各ＡＳ（ＲＲＣ）階層は、Ｔ３０２タイマまたはＴｂａｒｒｉｎｇタイマが実行中であるかどうかを決定することができる。タイマが実行中でない場合、Ｔ３０２タイマまたはＴｂａｒｒｉｎｇタイマが実行されることができる。
【０１０２】
一方、Ｔ３０２タイマまたはＴｂａｒｒｉｎｇタイマが実行される間に、ＡＳ（ＲＲＣ）階層は、該当セルに対する全てのアクセスが禁止されたと見なす。
【０１０３】
前述したように、ネットワーク過負荷及び混雑状況で、基地局は、ＡＣＢ−関連情報をＵＥに提供できる。その後、ＵＥは、ＵＳＩＭに格納されたアクセスクラスに基づいて受信されたＡＣＢ情報に含まれている禁止ファクタを使用してセルに対するアクセスが禁止されるかをチェックすることができる。アクセス禁止チェックを介して、最終的に、アクセス試み（ａｃｃｅｓｓ  ａｔｔｅｍｐｔ）が実行されない。即ち、アクセス禁止チェックを介して、該当セルに対するアクセスが禁止された場合、ＵＥはアクセスを試みないで、該当セルに対するアクセスが禁止されない場合、ＵＥはアクセスを試みる。アクセス禁止チェックは、ＡＳ階層で実行される。ここで、アクセス試みは、ＵＥのＡＳ（ＲＲＣ）階層がＲＲＣ接続要求メッセージを基地局に送信することを意味する。
【０１０４】
一方、アクセス禁止チェックは、例えば、発信呼び、発信データ、発信ＩＭＳ音声及び発信ＩＭＳビデオのようなＵＥの一般的なモバイル発信（ＭＯ：ｍｏｂｉｌｅ  ｏｒｉｇｉｎａｔｉｎｇ）サービスを実行することができる。即ち、ＡＣＢは、全ての応用プログラムのアクセスに適用されることができ、（しかし、応急サービスまたはページングに対する応答は除く）。
【０１０５】
発信呼び、発信データ、発信ＩＭＳ音声及び発信ＩＭＳビデオのような一般的なモバイル発信（ＭＯ）サービスを差別化する方法として、データ通信のためのアプリケーション特定混合制御（ＡＣＤＣ：ａｐｐｌｉｃａｔｉｏｎ  ｓｐｅｃｉｆｉｃ  ｃｏｎｇｅｓｔｉｏｎ  ｃｏｎｔｒｏｌ）が提案される。
【０１０６】
図７は、データ通信のためのアプリケーション特定混雑制御（ＡＣＤＣ）に対するアクセス禁止チェックの例を示す。
【０１０７】
図７を参照すると、まず、基地局は、ＳＩＢを介してＵＥにＡＣＤＣ禁止情報（ｂａｒｒｉｎｇ  ｉｎｆｏｒｍａｔｉｏｎ）を提供することができる。
【０１０８】
一方、特定アプリケーションがＵＥで実行され、データ通信サービスが特定応用アプリケーションにより必要な場合、特定応用プログラムの実行を制御するための応用階層は、応用属性関連情報をＮＡＳ階層（ｎｏｎ−ａｃｃｅｓｓ  ｓｔｒａｔｕｍ  ｌａｙｅｒ）に提供できる。
【０１０９】
その後、応用階層から受信された応用属性関連情報に基づいて、ＵＥのＮＡＳ階層は、ＡＣＤＣに対する応用カテゴリを決定することができる。
【０１１０】
次に、サービス接続（サービス要求メッセージの送信または拡張サービス要求メッセージの送信）のためのサービス要求手順を始める場合、ＵＥのＮＡＳ階層は、応用カテゴリに対する情報をＡＳ階層（即ち、ＲＲＣ層）に伝達（ｄｅｌｉｖｅｒ）することができる。
【０１１１】
ＮＡＳ階層のサービス要求手順（サービス要求メッセージの送信または拡張サービス要求メッセージの送信）を実行する前に、ネットワークから受信した応用カテゴリとＡＣＤＣ禁止情報に基づいて、ＡＳ階層（例えば、ＲＲＣ階層）は、ＡＣＤＣ禁止チェック（ｂａｒｒｉｎｇ  ｃｈｅｃｋ）を実行することでサービス要求手順を許容するかどうかを決定することができる。
【０１１２】
ＡＣＤＣ禁止チェックの結果として禁止対象でなくて許容されると判断されると、ＵＥのＡＳ階層（即ち、ＲＲＣ階層）は、ＲＲＣ接続要求メッセージを基地局に送信できる。
【０１１３】
前述したように、ＡＣＤＣを介してＵＥで現在実行中なアプリケーションが要求するサービス要求は、区別を介して許容または禁止されることができる。
【０１１４】
一方、ＮＧ−ＲＡＮは、ＲＡＣＨバックオフ、ＲＲＣ接続拒否、ＲＲＣ接続解除及びＵＥ基盤アクセス禁止メカニズムのような過負荷及びアクセス制御機能をサポートすることができる。一つの統合されたアクセス制御フレームワークがＮＲに適用されることができる。それぞれの識別されたアクセス試みに対して一つのアクセスカテゴリ（ａｃｃｅｓｓ  ｃａｔｅｇｏｒｙ）及び一つ以上のアクセスＩＤ（Ｉｄｅｎｔｉｔｉｅｓ）が選択されることができる。ＮＧ−ＲＡＮは、アクセスカテゴリ及びアクセスＩＤと関連した禁止制御情報を放送することができ、ＵＥは、放送された禁止情報及び選択されたアクセスカテゴリ及びアクセスＩＤに基づいて、識別されたアクセス試みが許可されるかどうかを決定することができる。同じＮＧ−ＲＡＮを共有する多数のコアネットワークの場合、ＮＧ−ＲＡＮは、各ＰＬＭＮに対する放送制御情報を個別的に提供する。統合アクセス制御フレームワークは、全てのＵＥ状態に適用可能である。ＵＥ状態は、ＲＲＣ＿ＩＤＬＥ、ＲＲＣ＿ＩＮＡＣＴＩＶＥまたはＲＲＣ＿ＣＯＮＮＥＣＴＥＤ状態を含むことができる。ＲＲＣ＿ＩＤＬＥで、ＵＥ  ＮＡＳは、アクセスカテゴリをＲＲＣに通知し、接続要求は、ｇＮＢが要求を拒絶するかどうかを決定することができるようにする一部情報を含む。
【０１１５】
オペレータの政策に基づいて、５Ｇシステムは、アクセスＩＤ及びアクセスカテゴリによって変わる関連禁止パラメータを使用してＵＥがネットワークにアクセスすることが防止（ｐｒｅｖｅｎｔ）可能でなければならない。アクセスＩＤは、表２に羅列された通りＵＥで構成される。このようなアクセスＩＤは、いつでも禁止されることができる。
【０１１６】
【表２】
2020524918.tif 000004
【０１１７】
アクセスカテゴリは、表３に羅列された通り、アクセス試みの類型及びＵＥと関連した条件の組み合わせにより定義される。アクセスカテゴリ０は、アクセスＩＤに関係なく禁止されない。ネットワークは、ページングを送るかどうかを制御することでアクセスカテゴリ０に関連したアクセス試みの量を制御することができる。
【０１１８】
【表３】
2020524918.tif 000005
【０１１９】
一つ以上のアクセスＩＤと一つのアクセスカテゴリのみが選択されてアクセス試みのためにテストされる。５Ｇネットワークは、ＲＡＮの一つ以上の領域で禁止制御情報（即ち、アクセスＩＤ及びアクセスカテゴリと関連した禁止パラメータのリスト）が放送可能でなければならない。ＵＥの構成及び放送禁止制御情報（ｂｒｏａｄｃａｓｔ  ｂａｒｒｉｎｇ  ｃｏｎｔｒｏｌ  ｉｎｆｏｒｍａｔｉｏｎ）からＵＥが受信する禁止パラメータに基づいて、ＵＥは、特定新規アクセス試みが許容されるかどうかが決定可能でなければならない。同じＲＡＮを共有する多重コアネットワークの場合、ＲＡＮは、互いに異なるコアネットワークに対して個別的にアクセス制御が適用可能でなければならない。統合アクセス制御フレームワークは、Ｅ−ＵＴＲＡを使用する５Ｇ  ＣＮにアクセスするＵＥ及びＮＲを使用して５Ｇ  ＣＮにアクセスするＵＥの全てに適用可能でなければならない。
【０１２０】
アクセスカテゴリは、サービス類型属性を含むため、特定サービスに属するアクセスは、他のアクセスより優先順位が高いもので処理される。例えば、応急サービスに対するアクセスが一般サービスのアクセスより優先順位が高い、または正常なサービスに対するアクセスがＩＯＴ（Ｉｎｔｅｒｎｅｔ  ｏｆ  Ｔｈｉｎｇｓ）データ送信のアクセスより優先順位が高い。一方、ＮＲでは６４個のアクセスカテゴリが定義され、アクセス禁止チェックは、６３個のアクセスカテゴリに適用されることができる。アクセス禁止パラメータがそれぞれのアクセスカテゴリに対して定義されると、アクセス禁止パラメータの送信のためのネットワークのシグナリングが増加できる。したがって、アクセス禁止情報集合に基づくアクセス禁止チェックメカニズムが提案される必要がある。以下、本発明の実施例に係るアクセス禁止情報集合に基づいて、ＵＥがアクセス禁止を実行する方法及びこれをサポートする装置が詳細に説明される。
【０１２１】
本発明の一実施例によると、一つ以上のアクセスカテゴリが特定アクセス優先順位にマッピングされることができ、その後、ＵＥは、アクセス優先順位に基づいてアクセス禁止メカニズムを実行することができる。本発明で、アクセス優先順位は、優先順位、アクセス禁止情報、禁止情報、アクセス禁止構成または禁止構成とも呼ばれる。
【０１２２】
図８は、本発明の一実施例に係る、アクセスカテゴリにマッピングされたアクセス禁止情報によるアクセス制御手順を示す。
【０１２３】
図８を参照すると、ステップＳ８１０において、ＵＥは、ネットワークから禁止情報のリストを受信することができる。禁止情報のリストは、システム情報を介して基地局から受信されることができる。例えば、システム情報は、システム情報ブロック１または２である。禁止情報には特定禁止ファクタ（ｂａｒｒｉｎｇ  ｆａｃｔｏｒ）及び特定禁止時間（ｂａｒｒｉｎｇ  ｔｉｍｅ）が含まれることができる。表４は、禁止情報リストの例を示す。
【０１２４】
【表４】
2020524918.tif 000006
【０１２５】
表４を参照すると、禁止情報リストは、禁止情報＃０乃至禁止情報＃３を含むことができ、禁止情報の各々は、特定禁止ファクタ及び特定禁止時間を含むことができる。
【０１２６】
表５は、禁止情報のリストの例を示す。表５において、禁止情報のリストは、ＢａｒｒｉｎｇＰｅｒＰｒｉｏｒｉｔｙとして参照されることができる。
【０１２７】
【表５】
2020524918.tif 000007
【０１２８】
表５を参照すると、ＢａｒｒｉｎｇＰｅｒＰｒｉｏｒｉｔｙは、ｂａｒｒｉｎｇＰｒｉｏｒｉｔｙ＃１及びｂａｒｒｉｎｇＰｒｉｏｒｉｔｙ＃２を含むことができ、ｂａｒｒｉｎｇＰｒｉｏｒｉｔｙの各々は、特定ａｃ−ＢａｒｒｉｎｇＦａｃｔｏｒ及び特定ａｃ−ＢａｒｒｉｎｇＴｉｍｅを含むことができる。
【０１２９】
表６は、禁止情報リストの他の例を示す。表６において、禁止情報リストは、ＵＡＣ−ＢａｒｒｉｎｇＩｎｆｏＳｅｔＬｉｓｔと呼ばれ、禁止情報は、ＵＡＣ−ＢａｒｒｉｎｇＩｎｆｏＳｅｔと呼ばれる。
【０１３０】
【表６】
2020524918.tif 000008
【０１３１】
表６を参照すると、ＵＡＣ−ＢａｒｒｉｎｇＩｎｆｏＳｅｔＬｉｓｔは、一つ以上のＵＡＣ−ＢａｒｒｉｎｇＩｎｆｏＳｅｔを含むことができ、ＵＡＣ−ＢａｒｒｉｎｇＩｎｆｏＳｅｔの各々は、ｕａｃ−ＢａｒｒｉｎｇＦａｃｔｏｒ及びｕａｃ−ＢａｒｒｉｎｇＴｉｍｅを含むことができる。
【０１３２】
ステップＳ８２０において、ＵＥは、リストに含まれている特定禁止情報とアクセスカテゴリとの間のマッピング情報を受信することができる。表６を参照すると、ＵＡＣ−ＢａｒｒｉｎｇＰｅｒＣａｔは、ＡｃｃｅｓｓＣａｔｅｇｏｒｙ及びｕａｃ−ｂａｒｒｉｎｇＩｎｆｏＳｅｔＩｎｄｅｘを含むことができ、ｕａｃ−ｂａｒｒｉｎｇＩｎｆｏＳｅｔＩｎｄｅｘは、ｕａｃ−ＢａｒｒｉｎｇＩｎｆｏＳｅｔＬｉｓｔフィールドのエントリのインデックスである。例えば、値１は、ｕａｃ−ＢａｒｒｉｎｇＩｎｆｏＳｅｔＬｉｓｔの１番目のエントリに該当し、値２は、このリストの２番目のエントリに該当し、このような方式に続く。即ち、ｕａｃ−ｂａｒｒｉｎｇＩｎｆｏＳｅｔＩｎｄｅｘは、禁止情報のリストのうち、Ａｃｃｅｓｓ−Ｃａｔｅｇｏｒｙにマッピングされた特定禁止情報を指示することができる。
【０１３３】
アクセスカテゴリと禁止情報との間のマッピング関係は、図９を参照して詳細に説明される。
【０１３４】
図９は、本発明の一実施例に係る、少なくとも一つのアクセスカテゴリと禁止情報との間のマッピング関係の例を示す。
【０１３５】
図９を参照すると、禁止情報＃０はアクセスカテゴリ＃１、アクセスカテゴリ＃２及びアクセスカテゴリ＃３にマッピングされることができる。禁止情報＃１は、アクセスカテゴリ＃４及びアクセスカテゴリ＃５にマッピングされることができる。禁止情報＃２は、アクセスカテゴリ＃６、アクセスカテゴリ＃７及びアクセスカテゴリ＃８にマッピングされることができる。禁止情報＃３は、アクセスカテゴリ＃９にマッピングされることができる。即ち、一つの禁止情報は、少なくとも一つのアクセスカテゴリにマッピングされることができる。
【０１３６】
表７は、少なくとも一つのアクセスカテゴリと優先順位（即ち、禁止情報）との間のマッピング関係の他の例を示す。
【０１３７】
【表７】
2020524918.tif 000009
【０１３８】
また、図８を参照すると、ステップＳ８２０において、ネットワークは、少なくとも一つのアクセスカテゴリと禁止情報との間のマッピング関係の一部をＵＥに提供できる。ネットワークは、ＵＥに特定アクセスカテゴリを提供することができ、また、ネットワークは、どの禁止情報が特定アクセスカテゴリにマッピングされるかをＵＥに通知できる。例えば、ネットワークは、ＵＥにアクセスカテゴリ＃３及び禁止情報＃０を指示する指示を提供することができる。
【０１３９】
その代案として、ステップＳ８２０において、ネットワークは、少なくとも一つのアクセスカテゴリと禁止情報との間の全てのマッピング関係をＵＥに提供できる。
【０１４０】
ステップＳ８３０において、ＵＥは、特定アクセスカテゴリにマッピングされた特定禁止情報に基づいて、特定アクセスカテゴリに対するアクセス禁止チェックを実行することができる。このために、ＵＥは、特定アクセスカテゴリに対応する特定禁止情報を選択し、その次に選択された特定禁止情報に基づいてセルに対するアクセスが禁止されるかどうかを決定することができる。特定アクセスカテゴリは、ＵＥの非アクセス階層（ＮＡＳ）階層からＵＥの無線リソース制御（ＲＲＣ）階層に送信されることができる。ＵＥ  ＲＲＣが特定アクセスカテゴリをＵＥ  ＲＲＣに送信し、ＵＥ  ＲＲＣが特定アクセスカテゴリにマッピングされた特定禁止情報を有する場合、ＵＥ  ＲＲＣは、特定アクセスカテゴリにマッピングされた特定禁止情報に基づいて、特定アクセスカテゴリに対するアクセス禁止チェックを実行することができる。
【０１４１】
ステップＳ８４０において、ＵＥは、アクセスカテゴリに対するアクセス試みが許容される場合、そのセルへのアップリンク送信を実行することができる。それに対し、アクセスカテゴリに対するアクセス試みが禁止される場合、ＵＥは、タイマを始めることができる。
【０１４２】
本発明の一実施例によると、一つ以上のアクセスカテゴリが特定禁止情報にマッピングされることができ、ＵＥは、少なくとも一つのアクセスカテゴリにマッピングされた禁止情報に基づいてアクセス禁止メカニズムを実行することができる。したがって、アクセス禁止パラメータがそれぞれのアクセスカテゴリに対して定義される場合と比較して、アクセス禁止パラメータの送信のためのネットワークのシグナリングが減少されることができる。
【０１４３】
図１０は、本発明の一実施例に係る、アクセスカテゴリにマッピングされたアクセス禁止情報に基づくアクセス制御手順を示す。
【０１４４】
ＵＥは、アクセス優先順位に基づいてアクセス禁止チェックを実行することができる。優先順位のためのアクセス禁止ファクタを含む放送指示を受信した後、ＵＥは、優先順位基盤アクセス禁止情報に基づいてセルへのアクセスが許容されるかどうかを決定する。
【０１４５】
図１０を参照すると、ステップＳ１０１０において、ＵＥは、各優先順位に対する禁止情報要素を受信することができる。禁止情報要素のリストは、システム情報を介して受信される。例えば、システム情報は、ＳＩＢ１またはＳＩＢ２である。その後、ＵＥは、特定アクセスカテゴリに対応する優先順位のための禁止情報を選択することができる。優先順位及びアクセスカテゴリは、ＵＥのＮＡＳ階層により指示される。その代案として、優先順位は、ネットワークにより通知され、アクセスカテゴリは、ＵＥのＮＡＳ階層により指示される。
【０１４６】
一つ以上のアクセスカテゴリは、図１０に示すように、アクセス優先順位を構成することができる。優先順位定義は、ネットワークにより事前−構成されたり通知されたりすることができる。例えば、登録中に優先順位定義が通知されることができる。初期登録のために、オペレータが事前−構成されたアクセス優先順位情報、例えば、汎用集積回路カード（ＵＩＣＣ）を提供しない場合、ＵＥは、アクセス優先順位を知ることができない。ＵＥは、登録受諾（Ｒｅｇｉｓｔｒａｔｉｏｎ  Ａｃｃｅｐｔ）の受信時、アクセス優先順位情報を受信する。ＵＥ  ＮＡＳ階層は、要求を提出する場合、情報を維持してＵＥ  ＲＲＣ階層に伝達できる。
【０１４７】
表７を参照すると、アクセス優先順位は、標準化された優先順位とオペレータ−構成優先順位で構成されることができる。また、任意の優先順位が指定されないアクセスに対してデフォルトアクセス優先順位（Ｄｅｆａｕｌｔ  ａｃｃｅｓｓ  ｐｒｉｏｒｉｔｙ）が定義されることができる。一部アクセスが遅延許容サービス（ｄｅｌａｙ  ｔｏｌｅｒａｎｔ  ｓｅｒｖｉｃｅｓ）に対して定義されて優先順位が最も低くされるべきであるため、デフォルト優先順位は、最も低い優先順位に設定しなくてもよい。
【０１４８】
ステップＳ１０２０において、ＵＥは、選択された禁止情報に基づいてセルに対するアクセスが禁止されるかどうかを決定することができる。例えば、ＵＥ  ＲＲＣ階層は、ＮＡＳ要求に含まれている優先順位及びネットワークから放送されたアクセス禁止情報に基づいてセルに対するアクセスが許容されるかどうかを決定することができる。
【０１４９】
ステップＳ１０３０において、ＵＥは、アクセスカテゴリに対するアクセス試みが許容される場合、そのセルへのアップリンク送信を実行することができる。それに対し、アクセスカテゴリに対するアクセス試みが禁止される場合、ＵＥは、タイマを始めることができる。
【０１５０】
一方、５Ｇでネットワーク機能最適化のためにネットワークスライシングがサポートされる。ネットワークオペレータは、互いに異なるサービスグループに対して互いに異なるネットワークスライスインスタンスを配置（ｄｅｐｌｏｙ）することができる。各ＰＤＵセッションは、特定ネットワークスライスに専用されることができる。これに基づいて、ネットワークは、顧客に差別化されたサービスを提供することができる。特定サービスをサポートするためには、ネットワークオペレータがいくつかのネットワークスライスを割り当てなければならない。例えば、一般的なＩＭＳサービスは、４Ｇで３個のＥＰＳベアラを使用するため、３個のネットワークスライスにマッピングして約３個のＰＤＵセッションを必要とすることができる。一つはシグナリング送信用であり、他の一つは音声通話用であり、もう一つは画像通話用である。即ち、３個のネットワークスライスがＩＭＳサービスに割り当てられる。したがって、ネットワークが特定サービスのトラフィックを正確に制御するためには、該当サービスに割り当てられたいくつかのネットワークスライスに制御が適用されなければならない。５Ｇシステムにおけるアクセス禁止メカニズムは、アクセスカテゴリに基づいて実行される。アクセスカテゴリは、定義でサービス類型を含むため、ネットワークスライシング及びアクセスカテゴリにはこれらの間の関係がある。即ち、アクセス禁止は、ネットワークスライスに基づいて実行されることができる。
【０１５１】
本発明の一実施例によると、ＵＥは、ネットワークスライスグループ基盤禁止構成を使用してアクセス禁止チェックを実行することができる。禁止構成は、ネットワークスライスグループ及びアクセスカテゴリのマッピングに基づいて行われる。各ネットワークスライスグループは、一つ以上のアクセスカテゴリにマッピングされることができる。マッピングは、ＵＥ自体により決定され、またはネットワークオペレータにより提供されることができる。
【０１５２】
ネットワークスライスグループは、図１１に示すように定義されることができる。一つ以上のネットワークスライスがネットワークスライスグループを構成することができる。各スライスグループは、アクセス禁止ファクタが各アクセスカテゴリに割り当てられることができる一つ以上のアクセスカテゴリにマッピングされることができる。ＵＥが登録されたＰＬＭＮがネットワークスライシングをサポートしてＵＥが事前−構成されたスライシング情報を有する場合、ＵＥは、構成されたグループ情報を使用することができる。または、情報は、登録受諾メッセージ（Ｒｅｇｉｓｔｒａｔｉｏｎ  Ａｃｃｅｐｔ  ｍｅｓｓａｇｅ）を介して伝達されることができる。
【０１５３】
初期登録の間に、ＵＥは、ネットワークスライスグループ情報を知ることができない。ネットワークは、登録受諾をＵＥに送信する場合、グループ情報を通知する。グループ情報は、ＵＥ  ＮＡＳ階層で維持されることができ、ＵＥが接続設定を要求する場合、ＵＥ  ＲＲＣ階層に伝達されることができる。ネットワークスライスグループ情報は、図１２に提示されたようなデフォルトスライスグループ（Ｄｅｆａｕｌｔ  Ｓｌｉｃｅ  Ｇｒｏｕｐ）を含むことができる。スライスグループがＵＥに適用されることができない場合、ＵＥは、デフォルトスライスグループを使用する。ｇＮＢは、スライスグループに基づいてアクセス禁止情報を送信することができる。さらに、デフォルトスライスグループが利用可能でない場合、ＵＥは、図１３に提示された通りアクセスカテゴリのみに基づいて共通禁止チェックを実行することができる。ネットワークスライシングは、選択的な特性であるため、ネットワークスライシングをサポートしないＰＬＭＮに登録されたＵＥはもちろん共通禁止チェックを実行することができる。
【０１５４】
図１４は、本発明の一実施例に係る、ネットワークスライスグループに基づくアクセス禁止メカニズムを示す。
【０１５５】
図１４を参照すると、初期登録手順は、ステップＳ１４００乃至ステップＳ１４２０を含み、成功的な登録以後手順は、ステップＳ１４３０乃至ステップＳ１４５０を含む。
【０１５６】
ステップＳ１４００において、ＵＥは、ｇＮＢから放送指示（例えば、ＳｙｓｔｅｍＩｎｆｏｒｍａｔｉｏｎＢｌｏｃｋ１または２）を介してアクセス禁止情報を受信することができる。ＰＬＭＮがアクセス制御のためのデフォルトスライスグループを定義する場合、放送指示は、グループに対する禁止情報を含むことができる。その代案として、ＰＬＭＮがデフォルトスライスグループを定義しない、またはネットワークスライシングをサポートしない場合、放送指示は、共通アクセス禁止情報を含むことができる。放送指示メッセージ（例えば、ＳｙｓｔｅｍＩｎｆｏｒｍａｔｉｏｎＢｌｏｃｋ１または２）は、表８のようなスライスグループに基づいて禁止情報を提供することができる。
【０１５７】
【表８】
2020524918.tif 000010
【０１５８】
ＵＥが登録（Ｒｅｇｉｓｔｒａｔｉｏｎ）を要求すると、ＵＥ  ＮＡＳ階層は、ＵＥ  ＲＲＣ階層への接続設定のために必要な情報を通知することができる。ＵＥがデフォルトスライスグループを事前−構成した場合、ＵＥ  ＮＡＳ階層は、利用可能な場合、スライスを通知し、選択的にＵＥ  ＲＲＣ階層にカテゴリ情報（例えば、ｓｌｉｃｅＧｒｏｕｐＩｄ、ａｃｃｅｓｓＣａｔｅｇｏｒｙＩｄ）をアクセスするこができる。その代案として、ＵＥがスライス情報を有しない場合、ＵＥ  ＮＡＳ階層は、ＵＥ  ＲＲＣ階層にアクセスカテゴリを通知することができる。
【０１５９】
ＵＥ  ＲＲＣ階層は、禁止情報を選択し、セルに対するアクセスが禁止されるかどうかを決定することができる。
【０１６０】
ステップＳ１４１０において、禁止されない場合、ＵＥは、登録要求（Ｒｅｇｉｓｔｒａｔｉｏｎ  Ｒｅｑｕｅｓｔ）を送信することができる。
【０１６１】
ステップＳ１４２０において、ＵＥは、スライスグループ情報で登録受諾を受信し、登録されたＰＬＭＮに対するグループ情報をアップデートすることができる。スライスグループ情報は、スライスグループ識別子（例えば、ｓｌｉｃｅＧｒｏｕｐＩｄ）及び関連しているアクセスカテゴリリストを含むことができる。
【０１６２】
ステップＳ１４３０において、ＵＥは、放送指示（例えば、ＳｙｓｔｅｍＩｎｆｏｒｍａｔｉｏｎＢｌｏｃｋ１または２）を介してネットワークスライスグループに基づいてアクセス禁止情報を受信することができる。放送指示メッセージ（例えば、ＳｙｓｔｅｍＩｎｆｏｒｍａｔｉｏｎＢｌｏｃｋ１または２）は、表８のようなスライスグループに基づいて禁止情報を提供することができる。その後、ＵＥは、ＰＬＭＮに対するアクセス禁止情報をアップデートすることができる。ＲＲＣ接続設定の間に、ＵＥ  ＲＲＣ階層は、特定アクセスカテゴリに対応するネットワークスライスグループに対する禁止情報を選択することができる。
【０１６３】
その後、ステップＳ１４４０において、ＵＥは、セルに対するアクセスが禁止されるかどうかを決定することができる。
【０１６４】
ステップＳ１４５０において、ＵＥは、アクセスカテゴリに対するアクセス試みが許容される場合、ＲＲＣ接続要求をネットワークに送信する。それに対し、アクセスカテゴリに対するアクセス試みが禁止される場合、ＵＥは、タイマを始めることができる。
【０１６５】
本発明の一実施例によると、ＵＥは、各ネットワークスライスグループに対する禁止情報ファクタ受信することができる。禁止情報要素のリストは、システム情報を介して受信される。その後、ＵＥは、特定アクセスカテゴリに対応するネットワークスライスグループに対する禁止情報を選択することができる。スライスグループは、ＵＥのＮＡＳ階層により指示されることができる。その後、ＵＥは、選択された禁止情報に基づいてセルに対するアクセスが禁止されるかどうかを決定することができる。
【０１６６】
図１５は、本発明の一実施例に係る、ＵＥがアクセス禁止チェックを実行する方法を示すブロック図である。
【０１６７】
図１５を参照すると、ステップＳ１５１０において、ＵＥは、禁止情報のリストを受信することができる。各禁止情報は、特定禁止ファクタ及び特定禁止時間を含むことができる。
【０１６８】
禁止情報のリストは、ネットワークから受信することができる。禁止情報のリストは、システム情報を介して受信されることができる。
【０１６９】
ステップＳ１５２０において、ＵＥは、リストに含まれている特定禁止情報と関連したアクセスカテゴリに対する情報を受信することができる。例えば、前記情報は、リストに含まれている特定禁止情報とアクセスカテゴリとの間のマッピング情報である。リストに含まれている特定禁止情報は、一つ以上のアクセスカテゴリと関連している。マッピング情報は、ネットワークから受信されることができる。
【０１７０】
ステップＳ１５３０において、ＵＥは、アクセスカテゴリに対する特定禁止情報に基づいてアクセスカテゴリに対するアクセス禁止チェックを実行することができる。
【０１７１】
アクセスカテゴリが一つ以上のアクセスカテゴリに含まれる場合、アクセスカテゴリに対するアクセス禁止チェックは、アクセスカテゴリと関連した特定禁止情報に基づいて実行されることができる。
【０１７２】
アクセスカテゴリは、ＵＥの非アクセス階層（ＮＡＳ）階層からＵＥの無線リソース制御（ＲＲＣ）階層に送信されることができる。アクセスカテゴリがＵＥのＮＡＳ階層からＵＥのＲＲＣ階層に送信される場合、アクセスカテゴリに対する特定禁止情報に基づいてアクセスカテゴリに対するアクセス禁止チェックが実行されることができる。
【０１７３】
ステップＳ１５４０において、ＵＥは、アクセスカテゴリに対するアクセス試みが許容される場合、アップリンク送信を実行することができる。アップリンク送信は、無線リソース制御（ＲＲＣ：Ｒａｄｉｏ  Ｒｅｓｏｕｒｃｅ  Ｃｏｎｔｒｏｌ）接続要求メッセージの送信を含む。その代案として、アクセスカテゴリに対するアクセス試みが禁止される場合、ＵＥは、アクセスカテゴリに対するタイマを始めることができる。
【０１７４】
本発明の一実施例によると、一つ以上のアクセスカテゴリが特定禁止情報にマッピングされることができ、その後、ＵＥは、少なくとも一つのアクセスカテゴリにマッピングされた禁止情報に基づいてアクセス禁止メカニズムを実行することができる。したがって、各アクセスカテゴリに対して禁止情報が定義される場合と比較して、禁止情報の送信のためのネットワークのシグナリングが減少されることができる。
【０１７５】
図１６は、本発明の実施例が具現される無線通信システムのブロック図である。
【０１７６】
基地局１６００は、プロセッサ１６０１、メモリ１６０２及び送受信機１６０３を含む。メモリ１６０２は、プロセッサ１６０１と連結され、プロセッサ１６０１を駆動するための多様な情報を格納する。送受信機１６０３は、プロセッサ１６０１と連結され、無線信号を送信及び／または受信する。プロセッサ１６０１は、提案された機能、過程及び／または方法を具現する。前述した実施例において、 基地局の動作は、プロセッサ１６０１により具現されることができる。
【０１７７】
端末１６１０は、プロセッサ（ｐｒｏｃｅｓｓｏｒ）１６１１、メモリ（ｍｅｍｏｒｙ）１６１２及び送受信機（ｔｒａｎｓｃｅｉｖｅｒ）１６１３を含む。メモリ１６１２は、プロセッサ１６１１と連結され、プロセッサ１６１１を駆動するための多様な情報を格納する。送受信機１６１３は、プロセッサ１６１１と連結され、無線信号を送信及び／または受信する。プロセッサ１６１１は、提案された機能、過程及び／または方法を具現する。前述した実施例において、 端末の動作は、プロセッサ１６１１により具現されることができる。
【０１７８】
プロセッサは、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリは、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。送受信機は、無線信号を処理するためのベースバンド回路を含むことができる。実施例がソフトウェアで具現される時、前述した技法は、前述した機能を遂行するモジュール（過程、機能など）で具現されることができる。モジュールは、メモリに格納され、プロセッサにより実行されることができる。メモリは、プロセッサの内部または外部にあり、よく知られた多様な手段でプロセッサと連結されることができる。
【０１７９】
前述した一例に基づいて本明細書による多様な技法が図面と図面符号を介して説明された。説明の便宜のために、各技法は、特定の順序によって複数のステップやブロックを説明したが、このようなステップやブロックの具体的順序は、請求項に記載された発明を制限するものではなく、各ステップやブロックは、異なる順序で具現され、または異なるステップやブロックと同時に実行されることが可能である。また、通常の技術者であれば、各ステップやブロックが限定的に記述されたものではなく、発明の保護範囲に影響を与えない範囲内で少なくとも一つの他のステップが追加されたり削除されたりすることが可能であるということを知ることができる。
【０１８０】
前述した実施例は、多様な一例を含む。通常の技術者であれば、発明の全ての可能な一例の組み合わせが説明されることができないという点を知ることができ、また、本明細書の技術から多様な組み合わせが派生することができるという点を知ることができる。したがって、発明の保護範囲は、請求の範囲に記載された範囲を外れない範囲内で、詳細な説明に記載された多様な一例を組み合わせて判断しなければならない。
【図１】
2020524918.tif 000011
【図２】
2020524918.tif 000012
【図３】
2020524918.tif 000013
【図４】
2020524918.tif 000014
【図５】
2020524918.tif 000015
【図６】
2020524918.tif 000016
【図７】
2020524918.tif 000017
【図８】
2020524918.tif 000018
【図９】
2020524918.tif 000019
【図１０】
2020524918.tif 000020
【図１１】
2020524918.tif 000021
【図１２】
2020524918.tif 000022
【図１３】
2020524918.tif 000023
【図１４】
2020524918.tif 000024
【図１５】
2020524918.tif 000025
【図１６】
2020524918.tif 000026
【手続補正書】
【提出日】令和1年12月24日(2019.12.24)
【手続補正１】
【補正対象書類名】特許請求の範囲
【補正対象項目名】全文
【補正方法】変更
【補正の内容】
【特許請求の範囲】
【請求項１】
無線通信システムにおける端末がアクセス禁止チェック（ａｃｃｅｓｓ  ｂａｒｒｉｎｇ  ｃｈｅｃｋ）を実行する方法において、
複数のインデックス及び複数のアクセスカテゴリと関連した第１のリストを受信するステップと、
前記複数のインデックスによりインデクシングされた複数の禁止情報（ｂａｒｒｉｎｇ  ｉｎｆｏｒｍａｔｉｏｎ）を含む第２のリストを受信するステップであって、前記複数の禁止情報の各々は、一つの禁止ファクタ（ｂａｒｒｉｎｇ  ｆａｃｔｏｒ）及び一つの禁止時間（ｂａｒｒｉｎｇ  ｔｉｍｅ）を含む、ステップと、
前記第１のリストから前記複数のインデックスの中の、第１のアクセスカテゴリと関連した第１のインデックスを選択するステップと、
前記第２のリストから前記複数の禁止情報の中の、前記第１のアクセスカテゴリと関連した前記第１のインデックスと関連した第１の禁止情報を選択するステップと、
前記第１のアクセスカテゴリと関連した前記第１のインデックスと関連した前記第１の禁止情報に基づいて、前記第１のアクセスカテゴリに対して前記アクセス禁止チェックを実行するステップと、
前記アクセス禁止チェックを実行することに基づいてアップリンク送信を実行するステップとを含む、方法。
【請求項２】
前記第２のリストを受信するステップは、ネットワークから前記第２のリストを受信するステップを含む、請求項１に記載の方法。
【請求項３】
前記ネットワークから前記第２のリストを受信するステップは、システム情報を介して前記ネットワークから前記第２のリストを受信するステップを含む、請求項２に記載の方法。
【請求項４】
前記無線通信システムでセルにアクセスする前記端末によるアクセス試みに基づいて前記第１のアクセスカテゴリを決定するステップをさらに含む、請求項１に記載の方法。
【請求項５】
前記第１のアクセスカテゴリに対する前記アクセス禁止チェックを実行するステップは、前記第１のアクセスカテゴリが一つ以上のアクセスカテゴリに含まれるかどうかに基づいて前記アクセス禁止チェックを実行するステップを含む、請求項１に記載の方法。
【請求項６】
前記第１の禁止情報に基づいて前記第１のアクセスカテゴリに対して前記アクセス禁止チェックを実行するステップは、０と１の間のランダム値が前記第１の禁止情報から決定された禁止ファクタより小さいかどうかを決定するステップを含む、請求項１に記載の方法。
【請求項７】
前記第１のアクセスカテゴリに対するアクセス試みが禁止されることを指示する前記アクセス禁止チェックに基づいて、前記第１のアクセスカテゴリに対する新しいアクセス試みが実行される前に、前記第１の禁止情報から決定された前記禁止時間と関連した時間待機するステップをさらに含む、請求項１に記載の方法。
【請求項８】
前記第１のアクセスカテゴリに対するアクセス試みが禁止されることを指示する前記アクセス禁止チェックに基づいて、前記第１のアクセスカテゴリに対するタイマを開始するステップをさらに含む、請求項１に記載の方法。
【請求項９】
前記第１のリスト内の前記複数のアクセスカテゴリは、アクセスカテゴリの総個数のサブセットで構成される、請求項１に記載の方法。
【請求項１０】
前記アップリンク送信は、ＲＲＣ（ｒａｄｉｏ  ｒｅｓｏｕｒｃｅ  ｃｏｎｔｒｏｌ）接続要求メッセージの送信を含む、請求項１に記載の方法。
【請求項１１】
無線通信システムにおけるアクセス禁止チェック（ａｃｃｅｓｓ  ｂａｒｒｉｎｇ  ｃｈｅｃｋ）を実行する端末において、前記端末は、
送受信機と、
少なくとも一つのプロセッサと、
前記少なくとも一つのプロセッサと動作的に連結され少なくとも一つのコンピュータメモリであって、前記少なくとも一つのコンピュータメモリは、実行された時、前記少なくとも一つのプロセッサに以下の動作を含む動作を実行させるインストラクションを格納するコンピュータメモリを含み、
前記少なくとも一つのプロセッサは、
前記送受信機を介して複数のインデックス及び複数のアクセスカテゴリと関連した第１のリストを受信し、
前記送受信機を介して前記複数のインデックスによりインデクシングされた複数の禁止情報（ｂａｒｒｉｎｇ  ｉｎｆｏｒｍａｔｉｏｎ）を含む第２のリストを受信し、前記複数の禁止情報の各々は、一つの禁止ファクタ（ｂａｒｒｉｎｇ  ｆａｃｔｏｒ）及び一つの禁止時間（ｂａｒｒｉｎｇ  ｔｉｍｅ）を含み、
前記第１のリストから前記複数のインデックスの中の、第１のアクセスカテゴリと関連した第１のインデックスを選択し、
前記第２のリストから前記複数の禁止情報の中の、前記第１のアクセスカテゴリと関連した前記第１のインデックスと関連した第１の禁止情報を選択し、
前記第１のアクセスカテゴリと関連した前記第１のインデックスと関連した前記第１の禁止情報に基づいて、前記第１のアクセスカテゴリに対して前記アクセス禁止チェックを実行し、
前記アクセス禁止チェックを実行することに基づいて、前記送受信機を介してアップリンク送信を実行するように構成される、端末。
【請求項１２】
前記第２のリストを受信することは、ネットワークから前記第２のリストを受信することを含む、請求項１１に記載の端末。
【請求項１３】
前記ネットワークから前記第２のリストを受信することは、システム情報を介して前記ネットワークから前記第２のリストを受信することを含む、請求項１２に記載の端末。
【請求項１４】
前記プロセッサは、前記無線通信システムでセルにアクセスする前記端末によるアクセス試みに基づいて前記第１のアクセスカテゴリを決定するように構成される、請求項１１に記載の端末。
【請求項１５】
前記第１のアクセスカテゴリに対する前記アクセス禁止チェックを実行することは、前記第１のアクセスカテゴリが一つ以上のアクセスカテゴリに含まれるかどうかに基づいて前記アクセス禁止チェックを実行することを含む、請求項１１に記載の端末。
【請求項１６】
前記第１の禁止情報に基づいて前記第１のアクセスカテゴリに対して前記アクセス禁止チェックを実行することは、０と１の間のランダム値が前記第１の禁止情報から決定された禁止ファクタより小さいかどうかを決定することを含む、請求項１１に記載の端末。
【請求項１７】
前記プロセッサは、前記第１のアクセスカテゴリに対するアクセス試みが禁止されることを指示する前記アクセス禁止チェックに基づいて、前記第１のアクセスカテゴリに対する新しいアクセス試みが実行される前に、前記第１の禁止情報から決定された前記禁止時間と関連した時間待機するようにさらに構成される、請求項１１に記載の端末。
【請求項１８】
前記プロセッサは、前記第１のアクセスカテゴリに対するアクセス試みが禁止されることを指示する前記アクセス禁止チェックに基づいて、前記第１のアクセスカテゴリに対するタイマを開始するようにさらに構成される、請求項１１に記載の端末。
【請求項１９】
前記第１のリスト内の前記複数のアクセスカテゴリは、アクセスカテゴリの総個数のサブセットで構成される、請求項１１に記載の端末。
【請求項２０】
前記アップリンク送信は、ＲＲＣ（ｒａｄｉｏ  ｒｅｓｏｕｒｃｅ  ｃｏｎｔｒｏｌ）接続要求メッセージの送信を含む、請求項１１に記載の端末。
【国際調査報告】
2020524918.tif 000027
2020524918.tif 000028